(57)【要約】【課題】一般家庭のように部屋内に並存する物品の種類や壁面との位置関係が変わり得る設置環境下においても適正な音質の音響が得られるように、音響特性の調節用データ（調節値）を容易な操作により設定することができること。【解決手段】制御回路６が、当該テレビジョン受像機Ｘが設置される部屋に存在する物品の種類に関する条件とその部屋内の壁面に対する当該テレビジョン受像機Ｘの設置位置に関する条件とを含む予め定められた複数の設置条件又はその組合せに対応付けられた音響特性の調節値に関するデータを予め記憶するＥＥＰＲＯＭ６ｃを備え、制御回路６が、前記複数の設置条件の中から、所定の操作部を通じた選択操作に従って条件を選択する設置条件選択機能と、これにより選択された条件とＥＥＰＲＯＭ６ｃの記憶データとに基づいて、音響特性調節回路１２が音響特性の調節処理に用いるデータを設定する音響調節値設定機能とを有する。【選択図】図１
2008035254.tif 000002
【特許請求の範囲】
【請求項１】
音響を出力するスピーカと、該スピーカに伝送される音響信号に対して音響特性の調節処理を施す音響特性調節手段と、を具備する音響出力装置であって、
当該音響出力装置が設置される部屋に存在する物品の種類に関する条件と該部屋内の壁面に対する当該音響出力装置の設置位置に関する条件とを含む予め定められた複数の設置条件の中から、所定の操作部を通じた選択操作に従って条件を選択する設置条件選択手段と、
前記複数の設置条件又はその組合せに対応付けられた音響特性の調節に関するデータを予め記憶する調節関連データ記憶手段と、
前記設置条件選択手段により選択された条件と前記調節関連データ記憶手段の記憶データとに基づいて、前記音響特性調節手段が前記音響特性の調節処理に用いるデータを設定する調節用データ設定手段と、
を具備してなることを特徴とする音響出力装置。
【請求項２】
前記部屋に存在する物品の種類に関する条件が、部屋の種類を表す条件を含むものである請求項１に記載の音響出力装置。
【請求項３】
前記部屋の種類を表す条件が、和室であるか否か及び寝室であるか否かの条件を含むものである請求項２に記載の音響出力装置。
【請求項４】
前記設置位置に関する条件が、部屋内におけるコーナー部であるかそれ以外の壁ぎわ部であるかの条件を含むものである請求項１〜３のいずれかに記載の音響出力装置。
【請求項５】
前記設置条件選択手段が、所定の表示部に前記複数の設置条件の選択メニューを表示させ、該選択メニューに対する前記選択操作に従って条件を選択するものである請求項１〜４のいずれかに記載の音響出力装置。
【請求項６】
前記音響特性調節手段による前記音響特性の調節処理が、音響信号における複数の周波数帯域各々の信号成分についての信号強度と遅延時間との一方又は両方の調節を行う処理である請求項１〜５のいずれかに記載の音響出力装置。
【請求項７】
前記調節用データ設定手段が、前記調節関連データ記憶手段の記憶データのうち、前記設置条件選択手段により選択された条件又はその組合せに対応するデータを前記音響特性の調節処理に用いるデータとして設定するものである請求項１〜６のいずれかに記載の音響出力装置。
【請求項８】
前記調節用データ設定手段が、前記調節関連データ記憶手段の記憶データのうち、前記設置条件選択手段により選択された複数の条件に対応する複数のデータを合成したデータを、前記音響特性の調節処理に用いるデータとして設定するものである請求項１〜６のいずれかに記載の音響出力装置。
【請求項９】
前記スピーカが、当該音響出力装置の本体と一体に構成されてなる請求項１〜８のいずれかに記載の音響出力装置。
【請求項１０】
請求項１〜８のいずれかに記載の音響出力装置を備えたテレビジョン受像機。
【請求項１１】
前記スピーカが、当該テレビジョン受像機の本体と一体に構成されてなる請求項１０に記載のテレビジョン受像機。
【発明の詳細な説明】
【技術分野】
【０００１】
本発明は、スピーカに伝送される音響信号に対して音響特性の調節処理を施す機能を備えた音響出力装置及びそれを具備するテレビジョン受像機に関するものである。
【背景技術】
【０００２】
オーディオプレイヤーやテレビジョン受像機などの音響出力装置は、出力する音響信号（音声信号）について、複数の周波数帯域の信号成分ごとに、強度を調節する処理（いわゆるイコライズ処理）や遅延時間を調節する処理を行うことにより、音響信号の音質を調節する音響特性調節機能を備えるものがある。
ここで、音響出力装置が、同じ音響を出力した場合でも、当該音響出力装置が設置されている音響空間の状態により、その音響の聴取者（利用者）の位置（通常、スピーカの正面）に到達する音響の特性が異なる。ここで、前記音響特性調節機能により、聴取者の位置において周波数バランスの良い適正な音質の音響が得られるように出力音響の特性を自動調節することができれば好適である。以下、聴取者の位置（通常は、スピーカの正面方向の位置）に到達する音響の特性のことを、聴取音響特性と称する。
一方、特許文献１には、スピーカから出力される音響を、聴取者の位置に配置されたマイクロホンによって音響信号（電気信号）に変換し、その音響信号に基づいて、スピーカに入力される音響信号の音質を調節するグラフィックイコライザのゲインを自動調節する自動音場補正装置が示されている。これにより、スピーカから出力された音響が、利用者の位置において周波数バランスの良い適正な音質になるように、グラフィックイコライザのゲインが自動調節される。
また、特許文献２には、スピーカが設置された部屋の壁の硬さや、スピーカの設置高さをユーザに設定させ、その設定内容に応じて音響信号の高周波成分を補正する音響信号再生装置が示されている。
【特許文献１】特開昭６２−１６６６９８号公報
【特許文献２】特開平０６−１０５３９０号公報
【発明の開示】
【発明が解決しようとする課題】
【０００３】
しかしながら、特許文献１に示されるように、音響特性の調節のためにわざわざマイクロホンを聴取位置に配置し、音響特性の調節を実行を開始させるための各種操作を行うことは、非常に煩雑で使い勝手が悪く、一部のマニアや専門家以外の一般の利用者には受け入れられ難いという問題点があった。
さらに、特許文献１に示される装置は、その構成が複雑でありコスト面でも不利であるという問題点もあった。
また、一般家庭のように、同じ部屋に音響出力装置と他の物品とが存在し、また、音響出力装置が壁面近くに設置されることが多い条件下では、音響出力装置は、特許文献２に示されるような壁の固さやスピーカの高さ以外の条件により、前記聴取音響特性が変化する。例えば、後述するように、音響出力装置が、ベッドが置かれた寝室に設置されているか否か、或いは部屋のコーナー部に設置されているか否かなどによって前記聴取音響特性が異なる。
このため、特許文献２に示される技術が適用された音響出力装置は、一般家庭に設置された場合、壁の固さやスピーカの高さ以外の条件の違いが前記聴取音響特性に影響し、周波数バランスの良い適正な前記聴取音響特性が得られない（音響特性調節が適正に機能しない）という問題点があった。
従って、本発明は上記事情に鑑みてなされたものであり、その目的とするところは、一般家庭のように部屋内に並存する物品の種類や壁面との位置関係が変わり得る設置環境下においても適正な音質の音響が得られるように、音響特性の調節に用いるデータ（調節値）を容易な操作により設定することができる音響出力装置及びこれを備えたテレビジョン受像機を提供することにある。
【課題を解決するための手段】
【０００４】
上記目的を達成するために本発明は、音響を出力するスピーカと、そのスピーカに伝送される音響信号に対して音響特性の調節処理を施す音響特性調節手段とを具備する音響出力装置に適用されるものであり、次の（１）〜（３）に示す各構成要素を備えることを特徴とする。
（１）当該音響出力装置が設置される部屋に存在する物品の種類に関する条件と該部屋内の壁面に対する当該音響出力装置の設置位置に関する条件とを含む予め定められた複数の設置条件の中から、所定の操作部を通じた選択操作に従って条件を選択する設置条件選択手段。
（２）前記複数の設置条件又はその組合せに対応付けられた音響特性の調節に関するデータを予め記憶する調節関連データ記憶手段。
（３）前記設置条件選択手段により選択された条件と前記調節関連データ記憶手段の記憶データとに基づいて、前記音響特性調節手段が前記音響特性の調節処理に用いるデータを設定する調節用データ設定手段。
このような構成を備えた本発明に係る音響出力装置は、一般家庭のように、部屋内に並存する物品の種類や、壁面との位置関係が変わり得る環境下に設置される場合でも、その設置条件に応じて、音響特性の調節に用いるデータ（調節値）を設定することができる。また、利用者は、前記設置条件を、予め定められた前記複数の設置条件の中からの選択操作によって容易に選択することができる。
一般に、寝室や和室などといった部屋の種類は、その部屋に存在する物品（ベッドや畳、ソファーなど）を概ね表す。従って、部屋の種類を特定（選択）することにより、概ねその部屋に存在する物品を間接的に特定（選択）することができる。そこで、前記部屋に存在する物品の種類に関する条件としては、例えば、部屋の種類を表す条件（例えば、寝室であるか否かの条件や、和室であるか否かの条件など）を含むものが考えられる。
また、一般家庭において、部屋内における音響出力装置（特に、テレビジョン受像機）の壁面に対する設置位置のパターンは、コーナー部であるかそれ以外の壁ぎわ部である場合がほとんどである。そこで、前記設置位置に関する条件としては、例えば、部屋内におけるコーナー部であるかそれ以外の壁ぎわ部であるかの条件を含むものが考えられる。これにより、非常に少ない選択肢からの選択操作によって設置位置の条件を特定でき、選択操作が容易となる。このことは、前記スピーカが、当該音響出力装置の本体と一体に構成されている場合に特に当てはまる。即ち、スピーカが本体と一体であるタイプの装置は、スピーカが本体から分離しているタイプの装置に比べ、部屋内におけるスピーカの配置位置のパターン（前記設置位置の条件の選択肢）がより限定されるのが通常だからである。
【０００５】
また、前記設置条件選択手段が、所定の表示部に前記複数の設置条件の選択メニューを表示させ、その選択メニューに対する前記選択操作に従って条件を選択することが考えられる。
これにより、前記設置条件の選択操作の操作性がより高まる。
また、前記音響特性調節手段による前記音響特性の調節処理としては、音響信号における複数の周波数帯域各々の信号成分についての信号強度と遅延時間との一方又は両方の調節を行う処理が考えられる。
また、前記調節用データ設定手段としては、次の（４）又は（５）のいずれかに示す処理を実行するものが考えられる。
（４）前記調節関連データ記憶手段の記憶データのうち、前記設置条件選択手段により選択された条件又はその組合せに対応するデータを前記音響特性の調節処理に用いるデータとして設定する処理。
（５）前記調節関連データ記憶手段の記憶データのうち、前記設置条件選択手段により選択された複数の条件に対応する複数のデータを合成したデータを、前記音響特性の調節処理に用いるデータとして設定する処理。
前記調節関連データ記憶手段が、前記設置条件選択手段により選択される条件又はその組合せにより特定される当該音響出力装置の設置パターンの候補それぞれと、前記音響特性の調節処理に用いるデータとを１対１に対応させて記憶している場合、上記（４）に示す処理を実行すればよい。
一方、前記設置条件選択手段により複数の条件が選択され、その複数の条件の組合せによって当該音響出力装置の設置パターンが特定される場合であって、前記調節関連データ記憶手段が、前記設置条件それぞれと、前記音響特性の調節処理に用いるデータとを１対１に対応させて記憶している場合には、上記（５）に示す処理を実行すればよい。
また、本発明は、以上に示した音響出力装置を備えたテレビジョン受像機として捉えることもできる。
前述したように、テレビジョン受像機は、一般家庭で採用され得る設置パターン（設置される部屋の種類や壁面に対する位置関係）の種類が比較的少ないため、予め定められる前記複数の設置条件の選択肢が少なくて済む。このため、以上に示した音響出力装置を備えたテレビジョン受像機は、非常に少ない選択肢からの選択操作によって設置位置の条件を特定でき、設置条件の選択操作が非常に容易となる。このことは、前記スピーカが、当該テレビジョン受像機の本体と一体に構成されている場合に特に当てはまる。即ち、スピーカが本体と一体であるタイプのテレビジョン受像機は、スピーカが本体から分離しているタイプのものに比べ、部屋内におけるスピーカの配置位置のパターン（前記設置位置の条件の選択肢）がより限定されるのが通常だからである。
【発明の効果】
【０００６】
本発明によれば、一般家庭のように、部屋内に並存する物品の種類や壁面との位置関係が変わり得る設置環境下においても適正な音質の音響が得られるように、音響特性の調節に用いるデータ（調節値）を容易な操作により設定することができる。
【発明を実施するための最良の形態】
【０００７】
以下添付図面を参照しながら、本発明の実施の形態について説明し、本発明の理解に供する。尚、以下の実施の形態は、本発明を具体化した一例であって、本発明の技術的範囲を限定する性格のものではない。
ここに、図１は本発明の実施形態に係るテレビジョン受像機Ｘの概略構成を表すブロック図、図２はテレビジョン受像機Ｘにおける音響特性調節機能の有効・無効設定画面の一例を表す図、図３はテレビジョン受像機Ｘにおける部屋種類選択画面の一例を表す図、図４はテレビジョン受像機Ｘにおける設置位置選択画面の一例を表す図、図５はテレビジョン受像機Ｘが記憶する音響特性調節値情報のデータ構成を表す図、図６はテレビジョン受像機Ｘの設置条件ごとの聴取音響特性を表すグラフ、図７はテレビジョン受像機Ｘが記憶する設置条件ごとの音響特性調節値を表すグラフである。
【０００８】
まず、図１に示すブロック図を用いて、本発明の実施形態に係るテレビジョン受像機Ｘの構成について説明する。
テレビジョン受像機Ｘは、アンテナ等により受信されたテレビジョン放送信号からチューナ１によって抽出される放送番組の音響信号（音声信号）を音響化するスピーカ１４と、そのスピーカ１４に伝送される音響信号に対してイコライズ処理を行う音響特性調節回路１２とを具備し、これらにより音響出力機能を実現する装置である。さらに、テレビジョン受像機Ｘは、チューナ１によって抽出される放送番組の映像信号を映像表示部５に入力させ、その映像信号に基づく映像を映像表示部５により表示する表示装置でもある。なお、本明細書においては、音声と音響とは同義として記載している。
図１に示すように、テレビジョン受像機Ｘは、チューナ１、外部入力部２、映像切替回路３、映像処理回路４、映像表示部５、制御回路６、リモコンインターフェース（Ｉ／Ｆ）回路７、音声切替回路１０、音声処理回路１１、音響特性調節回路１２、アンプ１３、スピーカ１４及びリモコン２０等を具備して構成されている。
なお、図１において、便宜上、スピーカ１４が１つであるかのように記載しているが、実際は、スピーカ１４は、Ｌチャンネル用及びＲチャンネル用の２つのスピーカにより構成されている。また、それらスピーカ１４は、テレビジョン受像機Ｘの本体と一体に構成されている。
【０００９】
チューナ１は、地上波放送信号やＢＳ衛星放送信号等の放送信号から、前記制御回路６により指示される放送チャンネルの信号を抽出（選局）するとともに、その抽出信号の検波によって映像信号及び音声信号を取り出し、その映像信号及び音声信号の各々を映像切替回路３及び音声切替回路１０各々へ伝送するものである。
また、外部入力部２は、外部からコンポジット方式或いはセパレート方式の映像信号及び音声信号等である外部入力映像信号及び外部入力音声信号を入力し、それらを映像切替回路３及び音声切替回路１０各々へ伝送するインターフェースである。
映像切替回路３は、前記チューナ１からの映像信号及び外部入力部２からの映像信号を入力し、それらの映像信号のうちの任意の１つの映像信号を制御回路６からの指示に従って選択して出力するものである。
映像処理回路４は、映像切替回路３から出力された映像信号に対して各種信号処理を行うものである。例えば、映像信号から水平及び垂直同期信号の分離、その同期信号に位相同期したクロック信号の生成、映像信号からの輝度信号及び色信号の分離、所定の画質改善処理等を行い、処理後の映像信号を映像表示部５に出力する。さらに、映像処理回路４は、映像切替回路３からの映像信号に、制御回路６から指定された情報の映像をスーパーインポーズする（重ね合わせる）ＯＳＤ機能も備えている。
映像表示部５は、液晶パネル及び液晶ドライバを備えた液晶表示部などにより構成され、映像処理回路４から出力される映像信号に基づく映像を表示するものである。
【００１０】
音声切替回路１０は、チューナ１からの音声信号及び外部入力部２からの音声信号が入力され、それらの音声信号のうちの任意の１つの音声信号を、制御回路６からの指示に従って音響特性調節回路１２に出力するものである。
音声処理部１１は、音声切替回路１０から出力された信号が予め定められた符号形式で符号化されている場合に、その信号を復号化する処理（デコード処理）を行うものである。
音響特性調節回路１２は、音声処理部１１から出力された音声信号（スピーカ１４に伝送される音響信号）に対し、複数の周波数帯域の信号成分ごとに強度を調節するイコライズ処理（音響特性調節処理の一例）を行うものである。このイコライズ処理を実行するため、音響特性調節回路１２は、時間領域における音響信号を周波数領域の音響信号へ変換するフーリエ変換処理を実行する機能を備えている。音響特性調節回路１２がイコライズ処理に用いる調節値（信号強度の調節ゲイン）は、制御回路６によって設定される。
この音響特性調節回路１２によってイコライズ処理がなされた音響信号が、スピーカ１４を通じて音響出力されると、その音響は、当該テレビジョン受像機Ｘの正面方向の位置（聴取者の位置）において、元の音響信号の音質が再現された高音質の音響となる。
アンプ１３は、音響特性調節回路１２によるイコライズ処理後の音声信号を、制御回路６からの指示に従って増幅或いは減衰させる処理（ボリューム調節処理）を行い、スピーカ１４に出力するものである。
なお、制御回路６と、音声切替回路１０と、音声処理回路１１と、音響特性調節回路１２と、アンプ１３と、スピーカ１４と、リモコン２０及びリモコンインターフェース回路７とが、本発明の実施形態に係る音響出力装置の一例を構成している。
【００１１】
制御回路６は、演算手段であるＭＰＵ６ａ、そのＭＰＵ６ａによって実行される制御プログラムが予め格納される記憶手段であるＲＯＭ６ｂ（ＥＰＲＯＭ）、ＭＰＵ６ａが実行する処理において読み書きされる各種情報を記憶するＥＥＰＲＯＭ６ｃ等を備え、当該テレビジョン受像機Ｘ全体を制御するものである。以下に示す制御回路６の処理は、ＭＰＵ６ａがＲＯＭ６ｂに記憶されたプログラムを実行することによって実現される。
リモコン２０は、当該テレビジョン受像機Ｘの動作の制御用の無線信号（例えば、赤外線信号）を出力するリモート操作器であり、不図示の操作入力部や無線信号出力回路等を備えている。
前記操作入力部は、チャンネル選択キーや音量調節キーなど、情報入力のための操作部であり、その操作内容に応じた信号が前記無線信号出力回路に伝送される。また、前記無線信号出力回路は、前記操作入力部から伝送されてくる信号（即ち、テレビジョン受像機Ｘの動作の制御信号）を、無線信号（例えば、赤外線信号）に変換し、当該リモコン２０からテレビ本体側へ無線伝送するものである。
一方、リモコンインターフェース回路７は、リモコン２０（リモート操作器）から伝送される無線信号（赤外線信号等）を受信し、これを電気信号に変換することにより、リモコン２０から伝送される各種情報を取得するとともに、その取得情報を制御回路６に伝送するものである。
【００１２】
次に、図５を参照しつつ、テレビジョン受像機Ｘに予め記憶される音響特性調節値情報Ｄ0について説明する。図５は、音響特性調節値情報Ｄ0のデータ構成を表す図である。
音響特性調節値情報Ｄ0は、音響特性の調節処理に関する情報（データ）であり、ＥＥＰＲＯＭ６ｃ（調節関連データ記憶手段の一例）に予め記憶されるものである。
図５に示すように、音響特性調節値情報Ｄ0は、予め定められた複数の設置条件を識別する識別情報ｄ１と、その識別情報ｄ１それぞれに対応付けられた音響調節値ｄ２（音響特性の調節に関するデータ）とにより構成されている。
ここで、音響調節値ｄ２は、音響信号における複数の周波数帯域（いわゆる周波数ビン）の信号成分ごとに設定された信号強度の調節ゲイン（補正ゲインといっても同義）である。
また、前記設置条件には、当該テレビジョン受像機Ｘ（ここでは、音響出力装置と同義）が設置される部屋に存在する物品の種類に関する条件の一例である部屋の種類条件ｄ１１と、その部屋内の壁面に対する当該テレビジョン受像機Ｘの設置位置の条件ｄ１２とが含まれる。
【００１３】
図５に示すように、本実施形態では、前記部屋の種類条件ｄ１１の候補として、「洋室」、「和室」及び「寝室」の３種類の選択肢が存在する。即ち、部屋に存在する物品の種類に関する条件として、部屋の種類を表す条件（ここでは、「洋室」であるかいなかの条件、「和室」であるか否かの条件及び「寝室」であるか否かの条件を含む）が採用されている。
前述したように、「寝室」、「和室」、「洋室」（リビングといってもよい）などといった部屋の種類は、その部屋に存在する物品（ベッドや畳、ソファーなど）を概ね表す。従って、部屋の種類条件ｄ１１を特定（選択）することにより、概ねその部屋に存在する物品を、間接的ではあるが簡易に特定（選択）することができる。
また、前記設置位置の条件ｄ１２の候補として、「壁ぎわ」（但し、部屋のコーナー部以外）及び「コーナー」の２種類の選択肢が存在する。即ち、前記設置位置の条件ｄ１２として、部屋内におけるコーナー部であるかそれ以外の壁ぎわ部であるかについての条件が採用されている。
前述したように、一般家庭において、部屋内におけるテレビジョン受像機の壁面に対する設置位置のパターンは、コーナー部であるかそれ以外の壁ぎわ部である場合がほとんどである。従って、前記設置位置の条件ｄ１２（壁面に対する設置位置の条件）として、「壁ぎわ」又は「コーナー」のいずれかを特定（選択）することにより、非常に少ない選択肢からの選択操作によって設置位置の条件を特定できる。
【００１４】
次に、図６及び図７に示すグラフを参照しつつ、前記設置条件と前記音響調節値ｄ２との関係について説明する。ここで、図６は、設置条件ごとの前記聴取音響特性（当該テレビジョン受像機Ｘの正面方向の位置での音響特性）を表すグラフ、図７は前記設置条件ごとの音響調節値ｄ２を表すグラフである。なお、図６及び図７における横軸は音響の周波数、図６の縦軸は音圧量（音響の強度）、図７の縦軸は音響調節値ｄ２を表す。
図６（ａ）に示されるように、テレビジョン受像機Ｘが部屋のコーナー部に設置された場合の前記聴取音響特性ｇ１２は、コーナー部から離れた壁ぎわに設置された場合の前記聴取音響特性ｇ１１に比べ、低周波数帯域（低域）から中周波数帯域（中域）にかけて（特に低域で）音圧が小さくなる。
この現象は、以下の理由によるものと考えられる。
装置がコーナー部から離れた壁ぎわに設置された場合、装置の背面と壁面の距離が近くなるため、指向性が弱い低域から中域までの音響成分（背面へ回り込みやすい音響成分）について、背後の壁面による十分なバッフル効果が得られ、装置正面方向において、低域から中域にかけての音圧が豊かになる。
一方、装置がコーナー部に設置された場合、装置の背面と壁面との距離が離れるため、低域から中域の音響成分についてバッフル効果が得られにくくなる。さらに、指向性が弱い低域の音響が乱反射し、左右２つのスピーカーそれぞれから出力される音響の干渉による減衰が生じやすくなる。
以上が、コーナー部に設置された場合の前記聴取音響特性ｇ１２が、壁ぎわに設置された場合の前記聴取音響特性ｇ１１に比べ、低域から中域にかけて音圧が小さくなる（減衰する）要因と考えられる。
【００１５】
また、図６（ｂ）に示されるように、テレビジョン受像機Ｘが寝室に設置された場合の前記聴取音響特性ｇ２３は、洋室（リビングといってもよい）に設置された場合の前記聴取音響特性ｇ２１に比べ、低域の音圧が小さくなる。
これは、寝室には、ベッド（布団や枕）等の吸音材として作用する物品が多く存在するため、指向性が弱い低域の音響がこれらに吸収されるためと考えられる。
また、図６（ｂ）に示されるように、テレビジョン受像機Ｘが和室に設置された場合の前記聴取音響特性ｇ２２は、洋室に設置された場合の前記聴取音響特性ｇ２１に比べ、全帯域において音圧（信号強度）が大きくなる傾向がある。
これは、和室には、一般に吸音材となるようなソファー等の家具（物品）が少なく、音響を減衰させる要素が少ないことから、他の種類の部屋に比べて残響が大きくなることが要因であると考えられる。
また、図６（ｂ）に示されるように、テレビジョン受像機Ｘが和室に設置された場合の前記聴取音響特性ｇ２２は、洋室に設置された場合の前記聴取音響特性ｇ２１に比べ、特に低域の音圧（信号強度）が大きくなる傾向がある。
これは、和室では、テレビジョン受像機Ｘが畳（床）に近い低い場所に設置されるため、指向性が弱い低域の音響が畳で反射して前方へ向かう傾向が特に強いことが要因であると考えられる。
【００１６】
図６に示される結果より、周波数バランスの良い適正な前記聴取音響特性が得られるようにするためには、前記設置条件に応じて、図７に示すような音響調節値ｄ２（信号強度の調節ゲイン）を設定すればよいといえる。
即ち、図７（ａ）に示すように、テレビジョン受像機Ｘが部屋の「コーナー」に設置された場合の音響調節値ｇ３２は、「壁ぎわ」に設置された場合の音響調節値ｇ３１に比べ、低域から中域にかけて（特に低域で）の信号がより増幅（強調）補正されるような調節値（ゲイン）を設定すればよい。
また、図７（ｂ）に示すように、テレビジョン受像機Ｘが「和室」に設置された場合の音響調節値ｇ４２は、「洋室」に設置された場合の音響調節値ｇ４１に比べ、全帯域において信号がより減衰補正されるとともに、特に、低域において信号がさらに減衰補正されるような調節値（ゲイン）を設定すればよい。
また、図７（ｂ）に示すように、テレビジョン受像機Ｘが「寝室」に設置された場合の音響調節値ｇ４３は、「洋室」に設置された場合の音響調節値ｇ４１に比べ、低域において信号がより増幅補正されるような調節値（ゲイン）を設定すればよい。
なお、図７に示す例は、テレビジョン受像機Ｘが、「洋室」（「寝室」及び「和室」以外）における「壁ぎわ」（コーナー以外）に設置された場合における音響調節値を基準値（特にゲイン補正を行わないときの値）としている。
従って、音響特性調節値情報Ｄ0（図５参照）は、前記部屋の種類条件ｄ１１の選択肢である「洋室」、「和室」及び「寝室」それぞれの識別情報ｄ１と、図７（ｂ）に示す音響調節値ｇ４１、ｇ４２及びｇ４３に相当する音響調節値ｄ２とが対応付けられ、さらに、前記設置位置の条件ｄ１２の選択肢である「壁ぎわ」及び「コーナー」それぞれの識別情報ｄ１と、図７（ａ）に示す音響調節値ｇ３１及びｇ３２に相当する音響調節値ｄ２とが対応付けられた情報となっている。
なお、前記設置条件に対応する音響調節値ｄ２の内容は、当該テレビジョン受像機Ｘを設計する際に、実験などによって予め決定される。
【００１７】
次に、図２〜図４に示す画面例を参照しつつ、テレビジョン受像機Ｘが備える設置条件選択機能について説明する。
ここで、設置条件選択機能とは、当該テレビジョン受像機Ｘの実際の設置条件を、予め定められた複数の前記設置条件ｄ１１、ｄ１２の中から、リモコン２０の前記操作入力部を通じた選択操作に従って選択する機能である。この設置条件選択機能は、制御回路６（のＭＰＵ６ａ）が、所定のプログラムを実行することによって実現される（設置条件選択手段の一例）。
制御回路６は、リモコン２０において音響調節設定モードへの移行操作が行われたこをを検知すると、映像処理回路４を制御することにより、図２に示すような有効・無効設定画面ｖ１を映像表示部５にＯＳＤ表示させる。この有効・無効設定画面ｖ１は、音響特性調節機能を有効にするか無効にするかを切り替えるための画面である。なお、制御回路６は、リモコンインターフェース回路７からの伝送信号によって音響調節設定モードへの移行操作があったことを検知する。
図２に示すように、前記有効・無効設定画面ｖ１は、「有効にする」又は「無効にする」の２つの項目の中から１つを選択するための選択メニュー画面である。そして、制御回路６は、その画面ｖ１の表示状態において、リモコン２０の操作入力部における所定のキー（例えば、上下移動キー及び決定キー）の操作内容に従って、いずれかの項目を選択する。
【００１８】
制御回路６は、前記有効・無効設定画面ｖ１の表示状態において、「無効にする」が選択されたと判別すると、音響特性調節回路１２がイコライズ処理に用いる調節値（周波数帯域ごとの調節ゲイン）を予め定められた初期値（補正を行わない状態）に設定し、前記有効・無効設定画面ｖ１のＯＳＤ表示を終了させる。これにより、当該音響調節設定モードの処理が終了する。ここで設定された調節値は、ＥＥＰＲＯＭ６ｃに記憶され、以後、音響特性調節回路１２は、その調節値に基づいてイコライズ処理を実行する。
【００１９】
一方、制御回路６は、前記有効・無効設定画面ｖ１の表示状態において、「有効にする」が選択されたと判別すると、映像処理回路４を制御することにより、図３に示すような部屋種類選択画面ｖ２及び図４に示すような設置位置選択画面ｖ３を順次ＯＳＤ表示させることにより、設置条件の選択処理を実行する。
ここで、制御回路６は、まず、部屋種類選択画面ｖ２（図３）を映像表示部５にＯＳＤ表示させ、前記部屋の種類条件ｄ１１の選択処理を実行する。
図３に示すように、前記部屋種類選択画面ｖ２は、「洋室」、「和室」及び「寝室」の３つの項目（選択肢）の中から１つを選択するための選択メニュー画面である。そして、制御回路６は、その画面ｖ２の表示状態において、リモコン２０の操作入力部における所定のキー（例えば、上下移動キー及び決定キー）の操作内容に従って、部屋の種類条件ｄ１１の内容を選択する。これにより、当該テレビジョン受像機Ｘが設置される部屋に存在する物品が、間接的ではあるが簡易に特定（選択）される。
さらに、制御回路６は、設置位置選択画面ｖ３（図４）を映像表示部５にＯＳＤ表示させ、前記設置位置の条件ｄ１２の選択処理を実行する。
図４に示すように、前記設置位置選択画面ｖ３は、「壁ぎわ」（但し、部屋のコーナー部以外）及び「コーナー」の２つの項目（選択肢）の中から１つを選択するための選択メニュー画面である。そして、制御回路６は、その画面ｖ３の表示状態において、リモコン２０の操作入力部における所定のキー（例えば、上下移動キー及び決定キー）の操作内容に従って、設置位置の種類条件ｄ１２の内容を選択する。
【００２０】
以上に示したように、制御回路６は、当該テレビジョン受像機Ｘが設置される部屋に存在する物品を間接的に特定する前記部屋の種類条件ｄ１１と、部屋内の壁面に対する当該テレビジョン受像機Ｘの設置位置の条件ｄ１２とを含む複数の設置条件の中から、リモコン２０の操作入力部を通じた選択操作に従って条件を選択する（設置条件選択手段の一例）。その際、制御回路６は、映像表示部５に複数の設置条件の選択メニューｖ２、ｖ３を表示させ、その選択メニューに対する選択操作に従って条件を選択する。なお、制御回路６は、選択した条件を、例えばＥＥＰＲＯＭ６ｃに記憶させる。
このように、テレビジョン受像機Ｘは、その設置条件を比較的少ないパターンに予めパターン化して選択肢として記憶している（図５に示す音響特性調節情報Ｄ0を参照）。スピーカが装置本体から分離したタイプのテレビジョン受像機や、比較的小型のオーディオ機器などにおいては、部屋内においてスピーカー１４を比較的自由な位置に設置できるため、上記パターン化が難しく、また、パターン化したとしてもパターン数（選択肢の数）が多くなる。
一方、スピーカ１４が装置本体（映像表示部５が設けられる部分）と一体となったテレビジョン受像機Ｘにおいては、部屋内におけるスピーカ１４の設置位置は、装置本体の設置位置と同じである。また、テレビジョン受像機Ｘ本体の設置条件は、前述したようにごく少ないパターンにパターン化できる。従って、スピーカ１４が装置本体と一体となったテレビジョン受像機Ｘにおいては、前記設置条件を選択する際の選択肢（パターン）がごく少なく、利用者は、特に知識や説明を必要とせずに簡易に前記設置条件を選択できる。
【００２１】
次に、テレビジョン受像機Ｘが備える音響調節値設定機能について説明する。
ここで、音響調節値設定機能とは、前記設置条件選択機能により選択された条件と、ＥＥＰＲＯＭ６ｃに予め記憶された前記音響特性調節値情報Ｄ0（図５参照）とに基づいて、音響特性調節回路１２がイコライズ処理（音響特性の調節処理）に用いる音響調節値を設定する機能である。この音響調節値設定機能は、制御回路６（のＭＰＵ６ａ）が、所定のプログラムを実行することによって実現される（調節用データ設定手段の一例）。
本実施形態では、前記設置条件選択機能により、２つの設置条件（前記部屋の種類条件ｄ１１及び前記設置位置の条件ｄ１２）が選択され、その２つの設置条件の組合せによって当該テレビジョン受像機Ｘの設置パターンが特定される。
また、前記音響特性調節値情報Ｄ0は、選択肢となる前記設置条件の識別情報ｄ１それぞれと、前記音響調節値ｄ２とを１対１に対応付けられた情報である。
これに対し、制御回路６は、前記音響特性調節値情報Ｄ0（調節関連データ記憶手段の記憶データの一例）のうち、前記設置条件選択機能により選択された２つの条件に対応する２つの音響調節値ｄ２を合成した調節値を、音響特性調節回路１２によるイコライズ処理（音響特性の調節処理）に用いる調節値として設定する。前記合成の具体例としては、前記音響調節値ｄ２の性質（所定の基準値に対する偏差を表す値であるか、調節ゲインそのものを表す値であるか等）に応じて、加算処理や平均処理などが考えられる。
例えば、前記設置条件として、「寝室」及び「コーナー」が選択された場合、図７に示す「寝室」の音響調節値ｇ４３と「コーナー」の音響調節値ｇ３２とを合成した調節値が、音響特性調節回路１２が用いる調節値として設定される。
テレビジョン受像機Ｘは、以上のようにして音響調節値を設定し、その音響調節値に基づいてイコライズ処理（音響特性調節処理）を実行する。その結果、一般家庭のように、部屋内に並存する物品の種類や壁面との位置関係が変わり得る設置環境下においても適正な音質の音響が得られる。さらに、テレビジョン受像機Ｘの利用者が、非常に容易な操作（メニュー選択操作）を行うだけで、イコライズ処理に用いられる音響調節値が設定される。
【００２２】
以上に示した実施形態では、音響特性調節回路１２が、イコライズ処理を行う例を示したが、本発明の実施形態はこれには限られない。
例えば、音響特性調節回路１２が、音響信号における複数の周波数帯域各々の信号成分について、遅延時間（遅延量）の調節を行うサラウンド処理（音響特性の調節処理の一例）を実行することも考えられる。この場合、前記音響調節値ｄ２は、音響信号における複数の周波数帯域各々の信号成分についての遅延時間（デジタル音響信号における遅延サンプル数などもこれに相当）を表す値である。
また、音響特性調節回路１２が、イコライズ処理及びサラウンド処理の両方を実行するもの、或いはその他の音響特性調節処理を実行するものであってもよい。
また、前述した実施形態では、部屋に存在する物品の種類に関する条件が、部屋の種類条件ｄ１１である場合の例を示したが、部屋に存在する物品の種類（ベッド（又は布団）、ソファー、畳、カーテンなど）そのものを当該条件とすることも考えられる。
同様に、前述した実施形態では、部屋内の壁面に対する当該テレビジョン受像機Ｘの設置位置の条件ｄ１２が、部屋の「コーナー」であるか否か、及び「壁ぎわ」（コーナー以外）であるか否かについての条件である場合を示した。しかしながら、壁面に対するテレビジョン受像機Ｘの距離をその条件の選択肢とすることも考えられる。その他、制御回路６が、映像処理回路４を制御することにより、部屋内における複数の設置位置（壁面に対するレイアウト）のパターンの模式的な絵（図）を映像表示部５に表示させ、所定の選択操作に従ってその設置位置のパターンの中から１つのパターンを選択すること等も考えられる。
【００２３】
また、前述した実施形態では、制御回路６は、前記設置条件選択機能により選択された２つの条件に対応する２つの音響調節値ｄ２を合成した調節値を、イコライズ処理（音響特性の調節処理）に用いる調節値として設定したが、他の実施形態も考えられる。
例えば、前記音響特性調節値情報Ｄ0（図５参照）の代わりに、前記設置条件選択機能により選択される２つの条件の組合せにより特定されるテレビジョン受像機Ｘの設置パターンの候補それぞれと、イコライズ処理に用いる音響調節値ｄ２とが１対１に対応した音響特性調節値情報Ｄ0’が、ＥＥＰＲＯＭ６ｃに記憶されている場合、即ち、前述の実施形態での合成処理によって得られる全パターンの音響調節値が予めＥＥＰＲＯＭ６ｃに記憶されている場合には、以下に示す処理によって前記音響調節値設定機能を実現することが考えられる。
この場合、制御回路６は、ＥＥＰＲＯＭ６ｃに記憶された音響特性調節値情報Ｄ0’における音響調節値の中から、前記設置条件選択機能により選択された２つの条件の組合せに対応する音響調節値を、イコライズ処理に用いる音響調節値として設定する。
また、前記設置条件選択機能が、前記部屋の種類条件ｄ１１と前記設置位置の条件ｄ１２とを組合せた条件（「寝室かつコーナー」など）を選択肢とし、その選択肢の中から１つの条件のみを選択する機能であることも考えられる。
この場合、制御回路６は、ＥＥＰＲＯＭ６ｃに記憶された音響特性調節値情報Ｄ0’における音響調節値の中から、前記設置条件選択機能により選択された条件に対応する音響調節値を、イコライズ処理に用いる音響調節値として設定する。
これにより、制御回路６が、イコライズ処理に用いる音響調節値を合成する処理を実行する必要がなくなる。
【産業上の利用可能性】
【００２４】
本発明は、音響出力装置やテレビジョン受像機に利用可能である。
【図面の簡単な説明】
【００２５】
【図１】本発明の実施形態に係るテレビジョン受像機Ｘの概略構成を表すブロック図。
【図２】テレビジョン受像機Ｘにおける音響特性調節機能の有効・無効設定画面の一例を表す図。
【図３】テレビジョン受像機Ｘにおける部屋種類選択画面の一例を表す図。
【図４】テレビジョン受像機Ｘにおける設置位置選択画面の一例を表す図。
【図５】テレビジョン受像機Ｘが記憶する音響特性調節値情報のデータ構成を表す図。
【図６】テレビジョン受像機Ｘの設置条件ごとの聴取音響特性を表すグラフ。
【図７】テレビジョン受像機Ｘが記憶する設置条件ごとの音響特性調節値を表すグラフ。
【符号の説明】
【００２６】
Ｘ…テレビジョン受像機
１…チューナ
２…外部入力部
３…映像切替回路
４…映像処理回路
５…映像表示部
６…制御回路
７…リモコンインターフェース回路
１０…音声切替回路
１１…音声処理部
１２…音響特性調節回路
１３…アンプ
１４…スピーカ
２０…リモコン
Ｄ0…音響特性調節値情報
【図１】
2008035254.tif 000003
【図２】
2008035254.tif 000004
【図３】
2008035254.tif 000005
【図４】
2008035254.tif 000006
【図５】
2008035254.tif 000007
【図６】
2008035254.tif 000008
【図７】
2008035254.tif 000009